(57)【要約】【課題】  走行機体の後部に配備した肥料ホッパから繰出し機構を介して肥料を繰出し、繰出した肥料を前記走行機体の後部に連結した苗植付け装置の作溝器に供給ホースを介して供給するよう構成した施肥装置付き田植機において、肥料の補給を容易に行うことができるとともに、機体安定性にも優れたものにする。【解決手段】  走行機体３の後部に運転ステップ２０よりも高く隆起した後部フェンダ部２１を配置し、繰出し機構４２および後輪２を軸支した主伝動ケース１２を後部フェンダ部２１の下方に配備してある。【選択図】        図１
2006320234.tif 000002
【特許請求の範囲】
【請求項１】
走行機体の後部に配備した肥料ホッパから繰出し機構を介して肥料を繰出し、繰出した肥料を前記走行機体の後部に連結した苗植付け装置の作溝器に供給ホースを介して供給するよう構成した施肥装置付き田植機において、
走行機体の後部に運転ステップよりも高く隆起した後部フェンダ部を配置し、前記繰出し機構および後輪を軸支した主伝動ケースを、前記後部フェンダ部の下方に配備してあることを特徴とする施肥装置付き田植機。
【請求項２】
走行機体の後部に配備した肥料ホッパから繰出し機構を介して肥料を繰出し、繰出した肥料を前記走行機体の後部に連結した苗植付け装置の作溝器に供給ホースを介して供給するよう構成した施肥装置付き田植機において、
走行機体の後部に運転ステップよりも高く隆起した後部フェンダ部を配置し、前記繰出し機構およびエンジンを、前記後部フェンダ部の下方に配備してあることを特徴とする施肥装置付き田植機。
【請求項３】
前記後部フェンダ部で肥料ホッパの一部を一体形成してある請求項１または２記載の施肥装置付き田植機。
【請求項４】
前記繰出し機構から繰出した肥料を風力搬送して供給ホースに導くブロワを前記後部フェンダ部の下方に配備するとともに、このブロワに暖気を供給する手段を備えてある請求項１〜３のいずれか一項に記載の施肥装置付き田植機。
【請求項５】
運転部の上方を覆う雨除けガードを装備してある請求項１〜４のいずれか一項に記載の施肥装置付き田植機。
【発明の詳細な説明】
【技術分野】
【０００１】
本発明は、走行機体の後部に配備した肥料ホッパから繰出し機構を介して肥料を繰出し、繰出した肥料を前記走行機体の後部に連結した苗植付け装置の作溝器に供給ホースを介して供給するよう構成した施肥装置付き田植機に関する。
【背景技術】
【０００２】
上記施肥装置付き田植機としては、肥料ホッパおよび繰出し機構を運転座席後方の高位置に配置したものが知られている。
【特許文献１】特開平７−１７７８０７号公報
【発明の開示】
【発明が解決しようとする課題】
【０００３】
上記構成によると、肥料ホッパが高い位置にあるために、肥料ホッパの上蓋を開いて肥料を補給する際に、重い肥料袋を高く持ち上げる必要があり、非力な作業者にとって肥料補給作業が負担となるものであった。また、高い位置の肥料ホッパに肥料を充填すると機体重心が高いものとなり、圃場内における走行時に機体の安定性が低下して機体操縦が難しくなる。
【０００４】
本発明は、このような点に着目してなされたものであって、肥料の補給を容易に行うことができるとともに、安定性にも優れた施肥装置付き田植機を提供することを目的としている。
【課題を解決するための手段】
【０００５】
第１の発明は、走行機体の後部に配備した肥料ホッパから繰出し機構を介して肥料を繰出し、繰出した肥料を前記走行機体の後部に連結した苗植付け装置の作溝器に供給ホースを介して供給するよう構成した施肥装置付き田植機において、
走行機体の後部に運転ステップよりも高く隆起した後部フェンダ部を配置し、前記繰出し機構および後輪を軸支した主伝動ケースを、前記後部フェンダ部の下方に配備してあることを特徴とする。
【０００６】
上記構成によると、繰出し機構を低く設置した分、肥料ホッパの上端を低くすることができ、肥料補給時に肥料袋の持ち上げ高さを低くすることができる。重量物となる肥料ホッパおよび繰出し機構を低く設置することで機体重心を下げ、機体の安定性を高めることができる。また、主伝動ケースの大きい重量が主推進車輪となる後輪の接地荷重を高めることになって確実な推進力をもたらす。
【０００７】
従って、第１の発明によると、肥料の補給を容易に行うことができるとともに、機体安定性および推進性能にも優れた施肥装置付き田植機を構成することができる。
【０００８】
第２の発明は、走行機体の後部に配備した肥料ホッパから繰出し機構を介して肥料を繰出し、繰出した肥料を前記走行機体の後部に連結した苗植付け装置の作溝器に供給ホースを介して供給するよう構成した施肥装置付き田植機において、
走行機体の後部に運転ステップよりも高く隆起した後部フェンダ部を配置し、前記繰出し機構およびエンジンを、前記後部フェンダ部の下方に配備してあることを特徴とする。
【０００９】
上記構成によると、繰出し機構を低く設置した分、肥料ホッパの上端を低くすることができ、肥料補給時に肥料袋の持ち上げ高さを低くすることができる。重量物となる肥料ホッパおよび繰出し機構を低く設置することで機体重心を下げ、機体の安定性を高めることができる。また、エンジンの大きい重量が主推進車輪となる後輪の接地荷重を高めることになって確実な推進力をもたらす。
【００１０】
従って、第２の発明によると、肥料の補給を容易に行うことができるとともに、機体安定性および推進性能にも優れた施肥装置付き田植機を構成することができる。
【００１１】
第３の発明は、上記第１または第の発明において、
前記後部フェンダ部で肥料ホッパの一部を一体形成してあるものである。
【００１２】
上記構成によると、例えば後部フェンダ部を樹脂成形することにより容易に肥料ホッパと一体化することができ、部品点数および組み付け工数の節減してコスト低減を図ることができる。
【００１３】
第４の発明は、上記第１〜３のいずれか一つの発明において、
前記繰出し機構から繰出した肥料を風力搬送して供給ホースに導くブロワを前記後部フェンダ部の下方に配備するとともに、このブロワに暖気を供給する手段を備えてあるものである。
【００１４】
上記構成によると、繰出し機構が低く配置されることで繰出し機構から作溝器までの落差が小さくなって供給ホースにおける肥料の流下機能が低下するおそれがあるが、風力搬送によって流下機能の低下が補われ、肥料供給経路での付着や詰まりのない肥料供給が良好に行われる。しかも、この風力搬送に用いられる搬送風が乾燥した暖気であるので、肥料の乾燥が促進されて一層円滑な肥料搬送を行うことができる。
【００１５】
第５の発明は、上記第１〜４のいずれか一つの発明において、
運転部の上方を覆う雨除けガードを装備してあるものである。
【００１６】
上記構成によると、雨除けガードで施肥装置を覆うことが容易となり、肥料ホッパへの肥料補給時に雨の侵入を防止して、肥料が吸湿して固まったり詰まりやすくなることを回避することができる。
【発明を実施するための最良の形態】
【００１７】
以下、本発明の実施例のいくつかを図面に基づいて説明する。
【００１８】
〔第１例〕
【００１９】
図１に、本発明に係る第１例の施肥装置付き田植機の全体側面が、また、図２に、その全体平面がそれぞれ示されている。この施肥装置付き田植機は、操向自在な前輪１と操向不能な後輪２を備えた四輪駆動型の走行機体３の後部に、油圧シリンダ４で上下に揺動駆動されるリンク機構５を介して６条植え仕様の苗植付け装置６が昇降可能に連結されている。走行機体３の前端部にはセンターポスト７が立設され、このセンターポスト７の前面に前照灯８装備されるとともに、センターポスト７の上部にステアリングハンドル９が配備され、さらに、走行機体３の後部に運転座席１０、エンジン１１、後輪２を軸支した伝動ケース１２、および、施肥装置１３が配備された構造となっている。
【００２０】
前記走行機体３の構成を以下に説明する。前記エンジン１１は伝動ケース１２から前方に延出された機体フレーム１５に防振搭載され、かつ、この機体フレーム１５の前方延出部位に前記前輪１を操向可能に軸支した前車軸ケース１６が連結される。機体フレーム１５の前端部にインテグラル型のパワーステアリングユニット１７が連結され、パワーステアリングユニット１７とステアリングハンドルと９とがステアリング操作軸１８を介して連動連結されるとともに、パワーステアリングユニット１７の下部に装備されたラック・ピニオン型のステアリング操作機構１９を介して左右の前輪１が操向操作されるようになっている。また、機体前端部から運転座席１０の足元まで運転ステップ２０が設置されるとともに、機体後部には運転ステップ２０よりも高く隆起した後部フェンダ部２１が配備されて、伝動ケース１２から立設した支持フレーム２２に支持されている。そして、この後部フェンダ部２１における左右中央部位に脱着可能に設けられたセンターカバー２３の上方に運転座席１０が配備されている。そして、エンジン１１、伝動ケース１２、および、施肥装置１３が後部フェンダ部２１の下方空間に配備されている。
【００２１】
前記エンジン１１は、ラジエータ２５を前置きした水冷式のものが採用され、エンジン後面の出力軸１１ａが吸振カップリング２６を介して伝動ケース１２の入力軸１２ａに連動連結されている。伝動ケース１２には図示されない無段変速を行う主変速機構や有段ギヤ変速を行う副変速機構が装備されており、これらによって変速された走行系動力が図示されないサイドクラッチを介して左右の後輪２に伝達されるとともに、分岐された走行系動力が伝動軸２７を介して前車軸ケース１６に伝達され、図示されないデフ機構を介して左右の前輪１が駆動されるようになっている。また、伝動ケース１２で変速された動力の一部が作業系動力としてケース後端のＰＴＯ軸２８から取り出されて前記苗植付け装置６に伸縮伝動軸２９を介して伝達され、苗植付け装置６が走行速度と同調した速度で駆動されるようになっている。
【００２２】
前記苗植付け装置６は、前記ＰＴＯ軸２８から取り出された作業系動力を受けるフィードケース３０、一定ストロークで左右に往復横移動される苗のせ台３１、６条分の回転式の植付け機構３２、および、田面の植付け箇所を均平整地する３つの整地フロート３３、等を備えている。なお、前記ＰＴＯ軸２８は、伝動ケース１２に内装された図示されない植付けクラッチによって任意に駆動および停止できるようになっている。
【００２３】
前記施肥装置１３には、粉粒状の肥料を貯留する肥料ホッパ４１、この肥料ホッパ４１の下部から定量づつ肥料を各条ごとに繰出す繰出し機構４２、繰り出された肥料を風力搬送する電動式のブロワ４３、各整地フロート３３に取付けた各植付け条ごとの作溝器４４、風力搬送される肥料を各作溝器４４まで案内する供給ホース４５、等が備えられており、機体前進に伴って苗植付け位置の横側近くの田面に各作溝器４４で施肥溝が形成され、この施肥溝に肥料が供給されて埋設されるようになっている。
【００２４】
図３に示すように、前記肥料ホッパ４１は、後部フェンダ部２１を凹入成形して一体化されており、その上端開口が開閉自在な上蓋４６で閉塞されている。前記繰出し機構４２は内装した繰出しロール４７を回転させてホッパ下端から肥料を所定量づつ繰出して植付け条数本（この例では６本）の供給ホース４５に送り出すよう構成されており、伝動ケース１２内の走行伝動系と繰出しロール４７とが図示されていない施肥クラッチおよび伝動機構を介して連動連結され、走行速度と同調した回転速度で繰出しロール４７が駆動されるようになっている。なお、前記施肥クラッチは前記植付けクラッチの操作系に連動されており、植付けクラッチが切り操作されて植付け作動が停止すると、これに連動して施肥クラッチも切られて施肥作動が停止されるようになっている。
【００２５】
繰出された肥料を風力搬送するブロワ４３には、エンジン周辺の乾燥した暖気を吸入する吸気ダクト４８が接続されており、乾燥した搬送風を分配ダクト４９を経て繰出し機構４２および各供給ホース４５に供給することで肥料の乾燥を促し、肥料が吸湿して繰出し搬送経路に付着堆積することが抑制されている。
【００２６】
前記後部フェンダ部２１の後部上面には燃料タンク５１が設置されるとともに、この燃料タンク５１の上方に横長の予備苗のせ台５２が支持枠５３を介して配備されている。この予備苗のせ台５２は苗植付け装置６における苗のせ台３１の上端近くに臨設されており、予備苗のせ台５２から苗のせ台３１への苗移し替えが容易に行えるようになっている。なお、予備苗のせ台５２への苗補給は機体横側方から行うことになる。
【００２７】
また、後部フェンダ部２１は後部支点ａを中心にして上方に回動開放可能となっており、後部フェンダ部２１を施肥装置１３ごと持ち上げ開放することで、施肥装置１３およびエンジン１１周りを大きく開放し、広い作業空間から施肥装置１３、エンジン１１、および、伝動ケース１２などのメンテナンスを行うことが可能となっている。なお、ラジエータ２５への冷却水の補給、エアークリーナ用エレメントの交換などの通常のメンテナンスはセンターカバー２３のみを開放して行うことができる。
【００２８】
〔第２例〕
【００２９】
図４に、本発明に係る第２例の施肥装置付き田植機の全体側面が、また、図５に、その全体平面がそれぞれ示されている。この施肥装置付き田植機は、基本的な構成は上記第１例と同様であり、以下、その相違している構造について説明する。
【００３０】
この例においては、前記施肥装置１３の肥料ホッパ４１は後部フェンダ部２１とは別体に構成されており、繰出し機構４２と肥料ホッパ４１の下部が後部フェンダ部２１の下方に配備されるとともに、この上方に突出した肥料ホッパ４１の上部に予備苗のせ台５２が横架配備されている。この予備苗のせ台５２は電動モータなどを利用した図示されない駆動機構によって全体に左右に移動可能、かつ、電動モータなどを利用した図示されない駆動機構によって後部支点ｂを中心に上方へ回動操作可能となっており、予備苗のせ台５２を持ち上げ回動して所定の後傾斜姿勢にすることで、載置収容した予備苗を苗のせ台３１に滑落供給することが可能となっている。また、予備苗のせ台５２の後端部には苗のせ台３１の上端に備えた指標に検出光ビームを照射してその反射の検出によって苗のせ台３１および予備苗のせ台５２の相対位置を検出する位置検出センサ５４が備えられており、苗補給に際しては、任意の横移動位置で停止された苗のせ台３１に対応する位置まで予備苗のせ台５２が横移動された後、予備苗のせ台５２が傾斜回動されるようになっている。
【００３１】
〔第３例〕
【００３２】
図６に、本発明に係る第３例の施肥装置付き田植機の全体側面が、また、図７に、その全体平面がそれぞれ示されている。この施肥装置付き田植機は、上記第２例の構造において、運転部を覆う雨除けガード６０が装備されたものである。
【００３３】
前記雨除けガード６０は、後部フェンダ部２１の後端左右から立設された門形の後部支柱枠６１と、センターポスト７の左右から立設されて後方上方に延出された前部支柱枠６２とを連結した４柱構造に構成されており、左右の前部支柱枠６２の上部に亘って天井部６３を取り付けて運転座席１０の上方を覆うように構成されている。また、天井部６３の前端部にはサンバイザー６４が取り付けられるとともに、後部支柱枠６１の上端後部にはリヤバイザー６５が庇状に突設されている。そして、雨除けガード６０の構成部材の主要部は樹脂成形されて雨除けガード全体の軽量化が図られている。また、雨除けガード６０における上部の前後には前向き作業灯６６と後向き作業灯６７が左右一対づつ装備されている。
【００３４】
〔第４例〕
【００３５】
図８に、本発明に係る第４例の施肥装置付き田植機の全体側面が、また、図９に、その全体平面がそれぞれ示されている。この施肥装置付き田植機は、上記第３例の構造において、雨除けガード６０が変形されたものである。
【００３６】
この例の雨除けガード６０は、左右の前部支柱枠６２が運転ステップ２０の前端角部から立設されるとともに、左右の前部支柱６２枠の間に透明樹脂材からなる主フロントガラス６８と前輪前方透視用の足元フロントガラス６９が装備されて、左右および後方が開放された構造となっている。また、主フロントガラス６８の外側にはワイパ７０が装備されるとともに、天井部６３には開閉可能な天板７１を備えた開口７２が備えられており、運転作業者が運転部で起立して開口７２から頭を出すことが可能となっている。
【００３７】
〔第５例〕
【００３８】
図１０に、本発明に係る第５例の施肥装置付き田植機の全体平面が示されている。この例では、前記運転ステップ２０が機体前端まで幅広く延長されるとともに、上記第４例で示された構造の雨除けガード６０が運転ステップ２０と同幅に幅広く設けられている。
【００３９】
〔第６例〕
【００４０】
図１１に、本発明に係る第６例の施肥装置付き田植機の全体側面が、また、図１２にその全体平面がそれぞれ示されている。この施肥装置付き田植機は、予備苗収容構造と雨除けガード６０が変形されている。
【００４１】
つまり、この例の雨除けガード６０は、上記第３例の基本構造において、左右の前部支柱枠６２が運転ステップ２０の前端角部から立設されるとともに、運転ステップ２０が機体前端まで幅広く延長され、この運転ステップ２０における前部とセンターポスト７との間を作業者が歩行移動可能に構成されている。また、各前例に示された機体後部の予備苗のせ台５２はなく、それに代えて、運転ステップ２０における前部の左右横外側に、苗載置板７３ａを複数段に装備した段積み式の予備苗のせ台７３が立設されており、運転作業者は前方の予備苗のせ台７３から取り出した予備苗を後方の苗のせ台３１に手作業で移し替えることになる。
【００４２】
〔第７例〕
【００４３】
図１３に、本発明に係る第７例の施肥装置付き田植機の全体側面が、また、図１４に、その全体平面がそれぞれ示されている。この施肥装置付き田植機は、上記第６例の構造において、予備苗収容構造が変形されている。
【００４４】
つまり、この例では、機体前端から後部フェンダ部２１にまで及ぶ前後に長い苗載置板７３ａを複数段に装備した段積み式の予備苗のせ台７３が走行機体の左右に配備されており、多量の予備苗を収容して連続作業が行えるようになっている。また、予備苗のせ台７３の各苗載置板７３ａは、運転部の横側方を開放する位置まで前方に大きくスライド移動可能に支持されており、苗載置板７３ａを前方スライドすることで運転作業者が機体左右から乗降することができるとともに、苗載置板７３ａを前方にスライド突出させることで、畦からの苗補給が容易に行えるようになっている。
【００４５】
〔他の実施例〕
【００４６】
（１）上記各実施例では、エンジン１１を後部フェンダ部２１の下方空間に配備しているが、走行機体３の前部に搭載する形態で実施することもできる。
【００４７】
（２）前記後部フェンダ部２１で肥料ホッパ４１の下部一部を一体形成し、後部フェンダ部２１の上面に別体構造のホッパ部分を突設して容量の大きい肥料ホッパ４１を構成することもできる。
【図面の簡単な説明】
【００４８】
【図１】第１例の施肥装置付き田植機を示す全体側面図
【図２】第１例の施肥装置付き田植機を示す全体平面図
【図３】第１例の施肥装置付き田植機の機体後部を示す側面図
【図４】第２例の施肥装置付き田植機を示す全体側面図
【図５】第２例の施肥装置付き田植機を示す全体平面図
【図６】第３例の施肥装置付き田植機を示す全体側面図
【図７】第３例の施肥装置付き田植機を示す全体平面図
【図８】第４例の施肥装置付き田植機を示す全体側面図
【図９】第４例の施肥装置付き田植機を示す全体平面図
【図１０】第５例の施肥装置付き田植機を示す全体平面図
【図１１】第６例の施肥装置付き田植機を示す全体側面図
【図１２】第６例の施肥装置付き田植機を示す全体平面図
【図１３】第７例の施肥装置付き田植機を示す全体側面図
【図１４】第７例の施肥装置付き田植機を示す全体平面図
【符号の説明】
【００４９】
３              走行機体
６              苗植付け装置
１１            エンジン
１２            主伝動ケース
２０            運転ステップ
２１            後部フェンダ部
４１            肥料ホッパ
４２            繰出し機構
４３            ブロワ
４４            作溝器
４５            供給ホース
６０            雨除けガード
【図１】
2006320234.tif 000003
【図２】
2006320234.tif 000004
【図３】
2006320234.tif 000005
【図４】
2006320234.tif 000006
【図５】
2006320234.tif 000007
【図６】
2006320234.tif 000008
【図７】
2006320234.tif 000009
【図８】
2006320234.tif 000010
【図９】
2006320234.tif 000011
【図１０】
2006320234.tif 000012
【図１１】
2006320234.tif 000013
【図１２】
2006320234.tif 000014
【図１３】
2006320234.tif 000015
【図１４】
2006320234.tif 000016